(57)【要約】【課題】時刻コードを含む電波を受信し、受信した時刻コードに基づいて時刻データ受信装置において、中継装置から送信される中継電波を正常に受信し、時刻修正を正確に行えるようにすること。【解決手段】中継装置３０は、送信所１０から送出される時刻データ即ちタイムコードを含む標準電波を受信し、受信したタイムコードを含む中継電波を第１強度で送出する。そして、時刻データ受信装置５０から送信される送信指令コードを受信した場合は、一定時間（１０分間）、上記第１強度より弱い第２強度で中継電波を送出する。一方、時刻データ受信装置５０は、時刻修正スイッチが操作されると、送信指令コードを中継装置３０へ送信し、これに応答して送出される第２強度の中継電波を受信し、受信したタイムコードに基づく時刻修正を行う。【選択図】      図１
2004198290.tif 000002
【特許請求の範囲】
【請求項１】
予め決められたタイミングに時刻コードを含む電波を第１強度で送信制御する第１送信制御手段と、
弱電波送信要求信号を受信する送信要求受信手段と、
この送信要求受信手段が前記弱電波送信要求信号を受信した際に、前記時刻コードを含む電波を前記第１強度より弱い電波で送信制御する第２送信制御手段と、
を備えることを特徴とする時刻データ送信装置。
【請求項２】
予め決められたタイミングに時刻コードを含む電波を第１強度で送信制御する第１送信制御手段と、
外部操作スイッチ手段と、
この外部操作スイッチ手段が操作された際に、前記時刻コードを含む電波を前記第１強度より弱い電波で送信制御する第２送信制御手段と、
を備えることを特徴とする時刻データ送信装置。
【請求項３】
前記第２送信制御手段は、前記時刻コードを含む電波を、所定時間送信することを特徴とする請求項１又は２に記載の時刻データ送信装置。
【発明の詳細な説明】
【０００１】
【発明の属する技術分野】
本発明は、時刻データ送信装置に関する。
【０００２】
【従来の技術】
現在我が国（日本）では、時刻データ即ちタイムコード入りの４０ｋＨｚ及び６０ｋＨｚの標準電波が、２つの送信所（福島県及び佐賀県）より送出されている。図９に、この標準電波に含まれるタイムコードのフォーマットを示す。
【０００３】
図９によれば、タイムコードは、１分毎に、１周期６０秒のフレームで送出されている。そして、この６０秒のフレームの開始時点である正分（毎分０秒）の立ち上がりには、先頭マーカ（Ｍ）が対応している。この先頭マーカ（Ｍ）は、パルス幅０．２秒のものが配され、またこれと同じパルス幅０．２秒のポジションマーカが、９秒（Ｐ１）、１９秒（Ｐ２）、２９秒（Ｐ３）、３９秒（Ｐ４）、４９秒（Ｐ５）及び５９秒（Ｐ０）の時点にも配されている。このため、フレームの境界には、ほぼ１秒の間隔をおいてパルス幅０．２秒のものが２個（即ち、先頭マーカ（Ｍ）で示されるものと、ポジションマーカ（Ｐ０）で示されるもの）配されていることになり、これにより新フレームの開始を認識することができるようになっている。また、先頭マーカ（Ｍ）は、フレーム基準マーカ（Ｍ）であり、このフレーム基準マーカ（Ｍ）で示されるパルスの立ち上がり時点が、現在時刻の分の桁の正確な更新時となる。そして、上記フレーム内には、当該フレーム開始時点（Ｍ）の時刻の分、時、通算日（１月１日からの日数）、年（西暦下２桁）、曜日等のデータが、それぞれ１秒代、１０秒代及び３０〜４０秒代に２進化１０進数で配されており、この場合、ロジック１及び０は、それぞれ、パルス幅が０．５秒及び０．８秒のパルスで表されている。尚、図９に示すフレームには、通算日１１４日の１７時２５分のデータが示されている。
【０００４】
近年では、このようなタイムコード入り標準電波を受信して、これにより時刻計数回路の時刻データを修正する、いわゆる電波時計が実用化されている。電波時計は、所定時間毎に、内蔵しているアンテナを介して標準電波を受信し、増幅変調してタイムコードを解読することにより、現在時刻を修正している。
【０００５】
この種の電波時計は通常室内に設置されるが、その設置場所、例えば鉄骨住宅内や地下室などでは、標準電波を受信不能となることが多い。そこで、電波時計の設置場所の制限を解消するために、標準電波を受信し、この受信した標準電波のタイムコードを所定の搬送波で変調して送信する中継装置を設け、中継装置が送信した中継電波を電波時計で受信させて時刻修正を行うようにしたものが提案されている（例えば、特許文献１参照）。
【０００６】
【特許文献１】
特開２０００−７５０６４号公報
【０００７】
【発明が解決しようとする課題】
しかしながら、電波時計が中継装置に近づいた場合、受信する中継電波の強度が大きくなることによってタイムコードを正常に受信できず、電波時計が誤った時刻修正を行ってしまうという問題があった。
【０００８】
上記問題に鑑み、本発明は、中継装置から送信される中継電波を正常に受信して、受信したタイムコードに基づく時刻修正を正確に行えるようにすることを目的としている。
【０００９】
【課題を解決するための手段】
上記課題を解決するために、請求項１記載の時刻データ送信装置は、
予め決められたタイミングに時刻コードを含む電波を第１強度で送信制御する第１送信制御手段（例えば、図２のＣＰＵ３１；図４のステップＳ１６、Ｓ１９）と、
弱電波送信要求信号を受信する送信要求受信手段（例えば、図２の受信アンテナ３７ａ；図４のステップＳ２５のＹＥＳ）と、
この送信要求受信手段が前記弱電波送信要求信号を受信した際に、前記時刻コードを含む電波を前記第１強度より弱い電波で送信制御する第２送信制御手段（例えば、図２のＣＰＵ３１；図４のステップＳ１８、Ｓ１９）と、
を備えることを特徴としている。
【００１０】
この請求項１に記載の発明によれば、時刻データ送信装置は、時刻コードを含む電波を、第１強度で送信することができる。そして、弱電波要求信号を受信した場合には、時刻コードを含む電波を、上記第１強度より弱い電波で送信することができる。
【００１１】
請求項２に記載の時刻データ送信装置は、
予め決められたタイミングに時刻コードを含む電波を第１強度で送信制御する第１送信制御手段（例えば、図２のＣＰＵ３１；図７のステップＳ１６、Ｓ１９）と、
外部操作スイッチ手段と、
この外部操作スイッチ手段が操作された際に、前記時刻コードを含む電波を前記第１強度より弱い電波で送信制御する第２送信制御手段（例えば、図２のＣＰＵ３１；図７のステップＳ１８、Ｓ１９）と、
を備えることを特徴とする時刻データ送信装置。
【００１２】
この請求項２に記載の発明によれば、時刻データ送信装置は、時刻コードを含む電波を、第１強度で送信することができる。そして、ユーザの操作入力によって、時刻コードを含む電波を、上記第１強度より弱い電波で送信することができる。
【００１３】
更に請求項３に記載の発明は、請求項１又は２に記載の時刻データ送信装置において、
前記第２送信制御手段は、前記時刻コードを含む電波を、所定時間送信することを特徴としている。
【００１４】
この請求項３に記載の発明によれば、請求項１又は２に記載の発明と同様の効果を奏するとともに、時刻データ送信装置は、第２送信制御手段による電波の送信を開始してから所定時間経過すると、当該第２送信制御手段から第１送信制御手段に切り換えることができる。即ち、時刻コードを含む電波を、所定時間の間、第１強度より弱い電波で送信することができる。
【００１５】
【発明の実施の形態】
以下、図面を参照して、本発明の実施の形態を詳細に説明する。
【００１６】
＜システム構成＞
図１は、本発明を適用した時刻修正システム１の一例を示す図である。
同図によれば、時刻修正システム１は、標準時刻のタイムコード（以下、適宜「標準タイムコード」という。）を含む標準電波を送出する送信所１０と、送信所１０から送出されている標準電波を受信して現在時刻を計時し、計時したタイムコード（以下、適宜「中継タイムコード」という。）を含む電波（以下、適宜「中継電波」という。）を送出する中継装置３０と、送信所１０から送出されている標準電波を受信して時刻修正する機能を有する、置時計５０ａや腕時計５０ｂといったいわゆる電波時計（以下、適宜「時刻データ受信装置」という。）５０と、を主に備えて構成される。
【００１７】
中継装置３０は、送信所１０から送出される標準電波を受信可能に構成され、受信した標準電波に基づいて現在時刻を計時し、中継電波を所定の電界強度（以下、適宜「第１強度」という。）で送出する。また、時刻データ受信装置５０から送信される送信開始指令コード（弱電波送信要求信号）を受信した場合、或いは、例えば該当するスイッチを操作される等、中継電波の送出強度の切替を指示された場合には、一定時間の間、中継電波を、上記第１強度より弱い電界強度（以下、適宜「第２強度」という。）で送出する。
【００１８】
時刻データ受信装置５０は、中継装置３０と通信可能に構成され、送信所１０から送出されている標準電波を所定時間以上連続して受信できない場合に、中継装置３０から送出される中継電波を受信して、当該中継電波に基づいて現在時刻を修正・計時する。また、例えばスイッチが操作される等、時刻修正を指示された場合には、中継装置３０へ送信開始指令コードを送信し、中継装置３０から送出される中継電波を受信して、当該中継電波に基づいて現在時刻を修正・計時する。
【００１９】
ここで、送信開始指令コードの送信範囲について説明する。上述のように、時刻データ受信装置５０と中継装置３０との間の距離が近づくに伴い、時刻データ受信装置５０で受信される中継電波の電界強度が強くなる。そして、ある所定距離まで近づくと、時刻データ受信装置５０は、中継電波を正常に受信できなくなる。即ち、この所定距離が、中継電波を正常に受信するために要する、時刻データ受信装置５０と中継装置３０との間の距離の下限値であり、この所定距離を、送信開始指令コードの送信範囲とする。従って、送信開始指令コードは、時刻データ受信装置５０が中継電波を正常に受信できない場合において、中継装置３０にて受信される。
【００２０】
以下、このように構成される時刻修正システム１における２つの実施例について、順に説明する。
【００２１】
〔第１実施例〕
図２〜図５を参照し、第１実施例について説明する。
先ず、本第１実施例における構成を説明する。
＜中継装置の構成＞
図２は、第１実施例における中継装置３０の内部構成を示すブロック図である。
同図によれば、中継装置３０は、ＣＰＵ３１、スイッチ部３２、表示部３３、発振回路３４、分周回路３５、計時計数回路３６、受信回路３７、受信アンテナ３７ａ、送信回路３８、送信アンテナ３８ａ、出力制御回路３９、ＲＯＭ４０、ＲＡＭ４１、を備えて構成される。
【００２２】
ＣＰＵ３１は、所定のタイミング、或いはスイッチ部３２から入力された操作信号等に応じて、ＲＯＭ４０内に格納された各種プログラムを読み出してＲＡＭ４１内に展開し、当該プログラムに基づく処理を実行して、中継装置３０を構成する各部を集中制御する。特に、本第１実施例においては、ＲＯＭ４０の送出強度切替プログラム（１）４０ａに基づく送出強度切替処理（１）（図４参照）を実行する。
【００２３】
スイッチ部３２は、例えば、中継電波の送出強度を第１強度から第２強度へと手動で切り換えるための強制切替スイッチ等、各種操作スイッチで構成され、この操作スイッチによる入力に応じた操作信号をＣＰＵ３１へ出力する。
【００２４】
表示部３３は、例えば、ＬＣＤ（Liquid Crystal Display）等で構成された表示装置であり、ＣＰＵ３１から入力される表示信号に基づいて、現在時刻をデジタル表示する。
【００２５】
発振回路３４は、例えば水晶発振器等を備えて構成され、常時一定の周波数のクロック信号を分周回路３５へ出力する。
分周回路３５は、発振回路３４から入力されるクロック信号を計数して、計数値が１分に対応する値になる度に、１分信号を計時計数回路３６へ出力する。
計時計数回路３６は、分周回路３５から入力される１分信号に基づいて、当該日の日付や現在の時分秒等の現在時刻データを計数する。ＣＰＵ３１は、この計時計数回路３６において計数される現在時刻データを、標準タイムコードに基づいて、適宜修正する。
【００２６】
受信回路３７は、受信アンテナ３７ａを介して、ＣＰＵ３１から入力された指示等に応じて送信所１０から送出される標準電波を受信した場合や、時刻データ受信装置５０から送信された送信開始指令コードを受信した場合等に、受信信号から所定の周波数信号を検波して取り出す。
【００２７】
また、受信回路３７は、標準電波受信時において、取り出した周波数信号から、標準時刻コード、積算日コード、曜日コード、等の時計機能に必要なデータを含む標準タイムコードを抽出してＣＰＵ３１へ出力する。また、受信回路３７は、送信開始指令コード受信時において、送信開始信号をＣＰＵ３１へ出力する。
【００２８】
送信回路３８は、ＣＰＵ３１から入力される中継タイムコードを搬送波に付加し、中継電波として送信アンテナ３８ａを介して送出する。
【００２９】
出力制御回路３９は、ＣＰＵ３１から入力される強度切替信号に基づいて、送信回路３８から送信アンテナ３８ａを介して送出される中継電波の電界強度を、通常出力である第１強度、或いはこの第１強度より弱い第２強度に制御する。
【００３０】
ＲＯＭ４０は、各種初期設定値や初期プログラムの他、中継装置３０が有する各機能を実現するためのプログラムやデータ等が格納される。特に、本第１の実施例においては、送出強度切替プログラム（１）４０ａが格納される。
【００３１】
ＲＡＭ４１は、ＣＰＵ３１により実行される各種プログラムや、これらのプログラムの実行に係るデータ等を一時的に保持するためのデータ格納領域を備える。特に、本第１の実施例においては、標準タイムコードを保持する標準タイムコード格納領域４１ａ、弱電波送出フラグを保持する弱電波送出フラグ格納領域４１ｂ、弱電波送出時間を保持する弱電波送出時間格納領域４１ｃ、を備えている。
【００３２】
弱電波送出フラグとは、中継電波の送出強度を示すフラグであり、具体的には、第１強度で送出する場合には“０”に、第２強度で送出する場合には“１”に、それぞれ設定される。
【００３３】
弱電波送出時間とは、第２強度での中継電波の送出開始時からの経過時間であり、弱電波送出時間格納領域４１ｃには、「分」と単位とした値が格納される。
【００３４】
＜時刻データ受信装置の構成＞
図３は、第１の実施例における時刻データ受信装置５０の内部構成を示すブロック図である。
同図によれば、時刻データ受信装置５０は、ＣＰＵ５１、スイッチ部５２、表示部５３、発振回路５４、分周回路５５、計時計数回路５６、受信回路５７、受信アンテナ５７ａ、送信回路５８、送信アンテナ５８ａ、ＲＯＭ５９、ＲＡＭ６０、を備えて構成される。
【００３５】
ＣＰＵ５１は、所定のタイミング、或いはスイッチ部５２から入力された操作信号に応じて、ＲＯＭ５９に格納された各種プログラムを読み出してＲＡＭ６０内に展開し、当該プログラムに基づく処理を実行して、時刻データ受信装置５０を構成する各部を集中制御する。特に、本第１実施例においては、ＲＯＭ５９の時刻修正プログラム（１）５９ａに基づく時刻修正処理（１）（図５参照）を実行する。
【００３６】
スイッチ部５２は、例えば、中継電波に基づく時刻修正を手動で開始させる時刻修正スイッチ等、各種操作スイッチで構成され、この操作スイッチによる入力に応じた操作信号をＣＰＵ５１へ出力する。
【００３７】
表示部５３は、例えば、ＬＣＤ等で構成された表示装置であり、ＣＰＵ５１から入力される表示信号に基づいて、現在時刻をデジタル表示する。
【００３８】
発振回路５４は、例えば水晶発振器等を備えて構成され、常時一定の周波数のクロック信号を分周回路５５へ出力する。
分周回路５５は、発振回路５４から入力されるクロック信号を計数して、計数値が１分に対応する値になる度に、１分信号を計時計数回路５６へ出力する。
計時計数回路５６は、分周回路５５から入力される１分信号に基づいて、当該日の日付や現在の時秒等の現在時刻データを計数する。ＣＰＵ５１は、この計時計数回路５６において計数される現在時刻データを、標準タイムコード或いは中継タイムコードに基づいて、適宜修正する。
【００３９】
受信回路５７は、受信アンテナ５７ａを介して、ＣＰＵ５１から入力された指示等に応じて、送信所１０から送出される標準電波を受信した場合や、中継装置３０から送出された中継電波を受信した場合等に、受信信号から所定の周波数信号を検波して取り出す。
【００４０】
また、受信回路５７は、標準電波或いは中継電波受信時において、取り出した周波数信号から、標準時刻コード、積算日コード、曜日コード、等の時計機能に必要なデータを含む標準タイムコード或いは中継タイムコードを抽出してＣＰＵ５１へ出力する。
【００４１】
送信回路５８は、ＣＰＵ５１から入力される送信開始信号を搬送波に付加し、送信開始指令コードとして送信アンテナ５８ａを介して送出する。
【００４２】
ＲＯＭ５９は、各種初期設定値や初期プログラムの他、時刻データ受信装置５０が有する各機能を実現するためのプログラムやデータ等が格納される。特に、本第１の実施例においては、時刻修正プログラム（１）５９ａが格納される。
【００４３】
ＲＡＭ６０は、ＣＰＵ５１により実行される各種プログラムや、これらのプログラムの実行に係るデータ等を一時的に保持するためのデータ格納領域を備える。特に、本第１の実施例においては、標準タイムコードを保持する標準タイムコード格納領域６０ａ、中継タイムコードを保持する中継タイムコード格納領域６０ｂ、修正経過時間を保持する修正経過時間格納領域６０ｃ、修正フラグを保持する修正フラグ格納領域６０ｄ、を備えている。
【００４４】
修正経過時間とは、標準電波に基づく前回の時刻修正時からの経過時間であり、修正経過時間格納領域６０ｃには、「時」を単位とした値で格納される。
【００４５】
修正フラグとは、中継電波に基づく時刻修正の要否、即ち中継電波の受信要否、を示すフラグであり、具体的には、中継電波の受信を要する場合には“１”に、中継電波の受信が不要の場合には“０”に、それぞれ設定される。
【００４６】
次に、第１実施例における動作を説明する。
＜中継装置の動作＞
図４は、第１実施例における中継装置３０の処理フローを示す図である。この動作は、ＲＯＭ４０に格納された送出強度切替プログラム（１）４０ａに基づいて、ＣＰＵ３１によって実行される。
【００４７】
同図によれば、ＣＰＵ３１は、計時計数回路３６で計数される現在時刻データを監視している。そして、現在時刻が正分（毎分０秒）に達したと判断した場合には（ステップＳ１１：ＹＥＳ）、弱電波送出フラグを判定する。判定の結果、弱電波送出フラグが“０”に設定されている場合には（ステップＳ１２：ＹＥＳ）、ＣＰＵ３１は、出力制御回路３９へ強度切替信号を出力して、中継電波の送出強度を“第１強度”に設定する（ステップＳ１６）。
【００４８】
また、弱電波送出フラグが“１”に設定されている場合には（ステップＳ１２：ＮＯ）、弱電波送出時間を判定する。判定の結果、弱電波送出時間が“１０”、即ち、第２強度での中継電波の送出を開始してから１０分経過した場合には（ステップＳ１３：ＹＥＳ）、ＣＰＵ３１は、弱電波送出フラグを“０”に設定するとともに（ステップＳ１４）、弱電波送出時間を“０”に更新する（ステップＳ１５）。そして、出力制御回路３９へ強度切替信号を出力して、中継電波の送出強度を“第１強度”に設定する（ステップＳ１６）。
【００４９】
また、弱電波送出時間が“１０”未満、即ち、第２強度での中継電波の送出を開始してから１０分経過していない場合には（ステップＳ１３：ＮＯ）、ＣＰＵ３１は、弱電波送出時間を“１”加算した値に更新する（ステップＳ１７）。そして、出力制御回路３９へ強度切替信号を出力して、中継電波の送出強度を“第２強度”に設定する（ステップＳ１８）。
【００５０】
弱電波フラグの値に応じて中継電波の送出強度を設定すると、ＣＰＵ３１は、中継タイムコードの送信処理を行う。即ち、計時計数回路３６で計数される現在時刻データに基づいて、中継タイムコードを生成して送信回路３８へ出力し、当該中継タイムコードを含む中継電波を、上記設定した送出強度で、送信アンテナ３８ａを介して送出させる（ステップＳ１９）。
【００５１】
続いて、ＣＰＵ３１は、計時計数回路３６で計数される現在時刻データに基づいて、現在時刻が正時か否かを判断し、正時と判断した場合には（ステップＳ２０：ＹＥＳ）、更に、当該時刻が偶数時刻か否かを判断する。現在時刻が偶数時刻と判断した場合には（ステップＳ２１：ＹＥＳ）、ＣＰＵ３１は、標準電波の受信処理を実行し（ステップＳ２２）、標準電波の受信を成功した場合には（ステップＳ２３：ＹＥＳ）、当該受信した標準電波の標準タイムコードに基づいて、計時計数回路３６で計数される現在時刻データを修正する（ステップＳ２４）。その後、時刻表示処理を実行して、当該時刻修正を表示部３３の現在時刻表示に反映させて（ステップＳ２５）、ステップＳ１１に戻る。
【００５２】
また、ステップＳ１１において、現在時刻が正分に達していない判断した場合には（ステップＳ１１：ＮＯ）、ＣＰＵ３１は、送信開始指令コードの受信を監視し、送信開始指令コードを受信した場合には（ステップＳ２６：ＹＥＳ）、弱電波送出フラグを“１”に設定した後（ステップＳ２７）、ステップＳ１１に戻る。
【００５３】
＜時刻データ受信装置の動作＞
図５は、第１実施例における時刻データ受信装置５０の処理フローを示す図である。この動作は、ＲＯＭ５９に格納された時刻修正プログラム（１）５９ａに基づいて、ＣＰＵ５１によって実行される。
【００５４】
同図によれば、ＣＰＵ５１は、計時計数回路５６で計数される現在時刻データを監視している。そして、現在時刻が正時（毎時０分）に達したと判断した場合には（ステップＳ３１：ＹＥＳ）、修正経過時間を“１”加算した値に更新し（ステップＳ３２）、当該時刻が、偶数時刻か否かを判定する（ステップＳ３３）。その結果、現在時刻が偶数時刻である場合（ステップＳ３３：ＹＥＳ）、即ち２時間毎に、以下の処理を実行する。
【００５５】
即ち、ＣＰＵ５１は、標準電波の受信処理を実行し（ステップＳ３４）、標準電波の受信に成功した場合には（ステップＳ３５：ＹＥＳ）、当該受信した標準電波の標準タイムコードに基づいて、計時計数回路５６で計数された現在時刻データを修正する（ステップＳ３６）。そして、修正フラグを“０”に設定するとともに（ステップＳ３７）、修正経過時間を“０”に更新する（ステップＳ３８）。
【００５６】
一方、ステップＳ３５において、標準電波の受信に失敗した場合には（ステップＳ３５：ＮＯ）、ＣＰＵ３１は、修正経過時間を判定する。判定の結果、修正経過時間が“２４”以上、即ち標準電波に基づく時刻修正を２４時間連続して失敗した場合には（ステップ３９：ＹＥＳ）、修正フラグを“１”に設定する（ステップＳ４０）。
【００５７】
また、ステップＳ３３において、現在時刻が偶数時刻でないと判定した場合には（ステップＳ３３：ＮＯ）、ＣＰＵ５１は、当該時刻が奇数時刻であるか否かを判定し、奇数時刻である場合には（ステップＳ４１：ＹＥＳ）、修正フラグを判定する。判定の結果、修正フラグが“１”に設定されている場合には（ステップＳ４２:ＹＥＳ）、ＣＰＵ５１は、中継電波の受信処理を実行し（ステップＳ４３）、中継電波の受信を成功した場合には（ステップＳ４４：ＹＥＳ）、当該受信した中継電波の中継タイムコードに基づいて、計時計数回路５６で計数された現在時刻データを修正する（ステップＳ４５）。
【００５８】
続いて、ＣＰＵ５１は、時刻表示処理を実行し、標準電波或いは中継電波に基づく時刻修正を、表示部５３の現在時刻表示に反映させる（ステップＳ５１）。そして、スイッチ部５２から入力される操作信号に基づくキー処理を行い、スイッチ部５２から時刻修正スイッチの操作信号が入力された場合には、強制受信キーを“ＯＮ”に設定し（ステップＳ５２）、その後、ステップＳ３１へ戻る。
【００５９】
また、ステップＳ３１において、現在時刻が正時に達していない場合には（ステップＳ３１：ＮＯ）、ＣＰＵ５１は、強制受信キーのＯＮ／ＯＦＦを判定し、強制受信キーがＯＮである場合には（ステップＳ４６：ＹＥＳ）、送信開始指令コードの送信処理を行う。即ち、送信開始指令信号を送信回路５８へ出力し、当該送信開始指令信号に基づく送信指令コードを、送信アンテナ５８ａを介して送信させる（ステップＳ４７）。
【００６０】
その後、ＣＰＵ１５は、中継電波の受信処理を実行し（ステップＳ４８）、中継電波の受信を成功した場合には（ステップＳ４９：ＹＥＳ）、当該受信した中継電波の標準タイムコードに基づいて、計時計数回路５６で計数された現在時刻データを修正する（ステップＳ５０）。その後、ＣＰＵ５１は、時刻表示処理を実行し、当該時刻修正を表示部５３の現在時刻表示に反映させた後（ステップＳ５１）、上述と同様にキー処理を行い（ステップＳ５２）、ステップＳ３１に戻る。
【００６１】
以上のように、第１実施例によれば、中継装置３０は、第１強度で中継電波を送出しているとともに、送信開始指令コードの受信有無を監視している。そして、送信開始指令コードを受信した場合には、１０分間だけ、上記第１強度より弱い第２強度で中継電波を送出することができる。
【００６２】
また、時刻データ受信装置５０は、１時間毎に標準電波及び中継電波を交互に受信して、受信したタイムコードに基づいて時刻修正を行うとともに、時刻修正スイッチの操作有無を監視している。そして、時刻修正スイッチが操作された場合には、送信開始指令コードを送信し、第２強度の中継電波を受信して、受信したタイムコードに基づく時刻修正を行うことができる。
【００６３】
従って、時刻データ受信装置５０は、時刻修正スイッチが操作されることで、電界強度が弱められた中継電波を受信することができ、受信したタイムコードに基づく時刻修正を正確に行うことが可能となる。
【００６４】
〔第２実施例〕
次に、図６〜図８を参照し、第２実施例について説明する。
本第２実施例においては、中継装置及び時刻データ受信装置の双方に、ユーザによって操作されるスイッチを設け、このスイッチが操作されることで、中継装置は、中継電波の電界強度を第１強度から第２強度に切り替え、時刻データ受信装置は、第２強度の中継電波を受信する点に特徴がある。
【００６５】
＜構成＞
第２実施例における中継装置の構成は、上述した第１実施例において図２に示したＲＯＭ４０を、図６（ａ）に示すＲＯＭ４２に置き換えた構成であり、また、時刻データ受信装置の構成は、図３に示したＲＯＭ５９を、図６（ｂ）に示すＲＯＭ６１に置き換えた構成であり、以下においては、同一の構成要素については同符号を付して、詳細な説明を省略する。
【００６６】
図６（ａ）は、第２実施例における中継装置のＲＯＭ４２の構成を示す図であり、同図（ｂ）は、時刻データ受信装置のＲＯＭ６１の構成を示す図である。ＲＯＭ４２には、送出強度切替プログラム（２）４２ａが格納されている。また、ＲＯＭ６１には、時刻修正プログラム（２）６１ａが格納されている。
【００６７】
＜動作＞
次に、第２実施例における動作を説明する。
＜中継装置の動作＞
図７は、第２実施例における中継装置３０の処理フローを示す図である。この動作は、ＲＯＭ４２に格納された送出強度切替プログラム４２ａに基づいて、ＣＰＵ５１によって実行される。尚、上述した第１実施例において図２に示した処理フローと同一ステップについては、同符号（ステップ番号）を付して説明を省略し、異なる部分を中心に説明する。
【００６８】
同図によれば、ステップＳ１１において、現在時刻が正分に達していないと判断した場合には（ステップＳ１１：ＮＯ）、ＣＰＵ１１は、強制切替スイッチの操作を監視する。そして、スイッチ部３２から、強制切替スイッチの操作信号が入力された場合には（ステップＴ２６：ＹＥＳ）、弱電波送出フラグを“１”に設定した後（ステップＳ２７）、ステップＳ１１に戻る。
【００６９】
＜時刻データ受信装置の動作＞
図８は、第２実施例における時刻データ受信装置５０の処理フローを示す図である。この動作は、ＲＯＭ６１に格納された時刻修正プログラム６１ａに基づいて、ＣＰＵ５１によって実行される。尚、上述した第１実施例において図３に示した処理フローと同一ステップについては、同符号（ステップ番号）を付して説明を省略し、異なる部分を中心に説明する。
【００７０】
同図によれば、ステップＳ３１において、現在時刻が正時に達していないと判断場合には（ステップＳ３１：ＮＯ）、ＣＰＵ５１は、強制受信キーのＯＮ／ＯＦＦを判定し、強制受信キーがＯＮである場合には（ステップＳ４６）、続いて、中継電波の受信処理を実行する（ステップＳ４８）。
【００７１】
そして、中継電波の受信を成功した場合には（ステップＳ４９：ＹＥＳ）、ＣＰＵ５１は、当該受信した中継電波の標準タイムコードに基づいて、計時計数回路５６で計数された現在時刻データを修正する（ステップＳ５０）。その後、時刻表示処理を実行し、当該時刻修正を表示部５３の現在時刻表示に反映させた後（ステップＳ５２）、上述と同様にキー処理を行い（ステップＳＳ５２）、ステップＳ３１に戻る。
【００７２】
以上のように、第２実施例によれば、中継装置３０は、第１強度で中継電波を送出しているとともに、強度切替スイッチの操作有無を監視している。強度切替スイッチが操作された場合には、１０分間だけ、上記第１強度より弱い第２強度で中継電波を送出する。
【００７３】
また、時刻データ受信装置５０は、１時間毎に標準電波及び中継電波を交互に受信して、受信したタイムコードに基づいて時刻修正を行うとともに、時刻修正スイッチの操作有無を監視している。時刻修正スイッチが操作された場合には、中継電波を受信して、受信したタイムコードに基づく時刻修正を行う。
【００７４】
即ち、中継装置３０の強度切替スイッチ及び時刻データ受信装置５０の時刻修正スイッチが操作されることで、時刻データ受信装置５０は、電界強度が弱められた中継電波を受信することができ、受信したタイムコードに基づく時刻修正を正確に行うことが可能となる。
【００７５】
尚、本発明の適用は、上述した実施の形態に限らず、本発明の趣旨を逸脱しない範囲で適宜変更可能である。
【００７６】
【発明の効果】
本発明によれば、時刻データ送信装置は、時刻コードを含む電波を、第１強度で送信することができる。そして、弱電波要求信号を受信した場合には、上記時刻コードを含む電波を、上記第１強度より弱い電波で送信することができる。
【００７７】
また、時刻データ送信装置は、時刻コードを含む電波を、第１強度で送信することができる。そして、ユーザの操作入力によって、上記時刻コードを含む電波を、上記第１強度より弱い電波で送信することができる。
【００７８】
更に、時刻データ送信装置は、時刻コードを含む電波を、所定時間の間、第１強度より弱い電波で送信することができる。
【図面の簡単な説明】
【図１】時刻修正システムの一例を示す図。
【図２】中継装置の内部構成を示すブロック図。
【図３】時刻データ受信装置の内部構成を示すブロック図。
【図４】第１実施例における中継装置の処理フローを示す図。
【図５】第１実施例における時刻データ受信装置の処理フローを示す図。
【図６】第２実施例における中継装置のＲＯＭ及び時刻データ受信装置のＲＯＭの構成を示す図。
【図７】第２実施例における中継装置の処理フローを示す図。
【図８】第２実実施における時刻データ受信装置の処理フローを示す図。
【図９】タイムコードのフォーマットを示す図。
【符号の説明】
１  時刻修正システム
１０    送信所
３０    中継装置
３１  ＣＰＵ
３２  スイッチ部
３３  表示部
３４  発振回路
３５  分周回路
３６  計時計数回路
３７  受信回路
３７ａ  受信アンテナ
３８  送信回路
３８ａ  送信アンテナ
３９  出力制御回路
４０、４２  ＲＯＭ
４０ａ  送出強度切替プログラム（１）
４２ａ  送出強度切替プログラム（２）
４１  ＲＡＭ
４１ａ  標準タイムコード格納領域
４２ｂ  弱電波送出フラグ格納領域
４２ｃ  弱電波送出時間格納領域
５０  時刻データ受信装置
５１  ＣＰＵ
５２  スイッチ部
５３  表示部
５４  発振回路
５５  分周回路
５６  計時計数回路
５７  受信回路
５７ａ  受信アンテナ
５８  送信回路
５８ａ  送信アンテナ
５９、６１  ＲＯＭ
５９ａ  時刻修正プログラム（１）
６１ａ  時刻修正プログラム（２）
６０  ＲＡＭ
６０ａ  標準タイムコード格納領域
６０ｂ  中継タイムコード格納領域
６０ｃ  修正経過時間格納領域
６０ｄ  修正フラグ格納領域
【図１】
2004198290.tif 000003
【図２】
2004198290.tif 000004
【図３】
2004198290.tif 000005
【図４】
2004198290.tif 000006
【図５】
2004198290.tif 000007
【図６】
2004198290.tif 000008
【図７】
2004198290.tif 000009
【図８】
2004198290.tif 000010
【図９】
2004198290.tif 000011